(57)【特許請求の範囲】
【請求項１】
回転するディスクの外周面近傍に備えたディスペンサーから前記ディスクの外周面に液体塗布物を滴下して外周面に付着させるステップと、接近する被着体に前記液体塗布物を転写するステップと、ディスクの外周面の液体塗布物の余剰分を受皿に回収するステップと、を備える液体塗布物の塗布方法において、画像認識装置にてディスク外周に付着した前記液体塗布物の膜厚をモニターするとともに該膜厚と設定膜厚とを比較した情報から転写する際のディスクの外周面の液体塗布物の付着量を可動なスキージで調整して膜厚管理するステップを備えることを特徴とする液体塗布物の塗布方法。
【請求項２】
回転するディスクの外周面を液体塗布物を入れた槽に浸漬して液体塗布物を付着させるステップと、前記ディスクの外周面に接近する被着体に前記液体塗布物を転写するステップと、ディスクの外周面の液体塗布物の余剰分を回収するステップと、前記ディスク近傍にディスペンサーを備えて前記ディスクの外周面に前記ディスペンサーから液体塗布物を滴下して外周面の液体塗布物の付着量を付加調整するステップと、を備える液体塗布物の塗布方法において、画像認識装置にてディスク外周に付着した前記液体塗布物の膜厚をモニターするとともに該膜厚と設定膜厚とを比較した情報から転写する際のディスクの外周面の液体塗布物の付着量を可動なスキージで調整して膜厚管理するステップを備えることを特徴とする液体塗布物の塗布方法。
【請求項３】
液体塗布物が樹脂塗料または磁性体含有樹脂塗料であり、被着体が電子部品素子であることを特徴とする請求項１または請求項２に記載の液体塗布物の塗布方法。
【発明の詳細な説明】
【０００１】
【発明の属する技術分野】
本発明は、塗料等の液体塗布物のディスク転写による被着体への塗布方法に関する。
【０００２】
【従来の技術】
工業的塗布方法の一つに、回転するディスク（円盤と訳されるが、所謂ローラーも幅の厚いディスクと捉えられる。）の外周面に液体塗布物を付着せしめて前記ディスクの外周面に近接させた塗布対象の被着体に前記液体塗布物を転写する塗布方法がある（ディスク転写法と言われる）。例えば図３に示されるようなカラートタン、合板等の被着体１の塗装に利用される所謂ローラーコーター塗りも上記ディスク転写法の一種であり、図示されるように数本の回転するディスク（ローラー）３ａ，３ｂ，３ｃ，３ｄ群で構成され、塗料供給は液体塗布物５を容れた液体塗布物槽２へのディスク３ａの浸漬でその外周面に液体塗布物５を付着させることで行い、図示しない搬送手段にて被着体１の矢印Ｘ方向の送りが行われてディスク３ｃの外周面で被着体１へ転写される（両面の場合はディスク３ｄが付加される）。塗膜厚の調整はローラースリット（ディスク３ｃ，３ｄと被着体１表面との隙間）の寸法調整や前記ディスク３ａ，３ｂ，３ｃ，３ｄの回転速度の調整で行われる。
【０００３】
上記工業的塗布方法としてのディスク転写法は、工事用道路ライン引き、ベルト・紙の張り合わせ部の糊付け、基板上の部品封止、建築物外壁のペイント塗り・内装の壁紙貼り、パン等の食品へのバター、クリーム、蜂蜜塗り、といった種々の分野で前記のような液体塗布物（ペイント塗料、糊、接着剤、食品）の塗布に利用されている。
【０００４】
電子部品製造技術の分野でも、上記ディスク転写法はコンデンサ、インダクタ等のチップ状電子部品を始めとする被着体に樹脂塗料等の液体塗布物（粘性の高い塗布物も含まれる）を外装材として塗布する工程に利用されている。
【０００５】
例えば図４に示されるディスク転写方式の塗布装置１０によってチップ状電子部品のインダクタ素子１５の外装形成を行う場合の液体塗布物である樹脂塗料６をディスク転写法でインダクタ素子１５に塗布する例を典型に説明すると、液体塗布物槽２に溜められた液体塗布物の外装材としての樹脂塗料６を液体塗布物槽２に浸漬したディスク４の外周面に回転によって付着させるとともに、被着体であるインダクタ素子１５を回転するドラムディスク９の製品チャック８に把持させてインダクタ素子１５自体を回転させながらディスク４の外周面に接近させ、前記ディスク４の外周面に近接したインダクタ素子１５ａに前記樹脂塗料６を外装部材として転写してインダクタ素子１５′のように塗布が完了する。ディスク４の外周面の転写後の余りの樹脂塗料は前記液体塗布物槽２（回収先になっている）にそのまま回収されるという構成である。
【０００６】
【発明が解決しようとする課題】
しかしながら、上記のような従来のディスク転写法による液体塗布物の塗布方法では、その膜厚の確保と塗布速度の高速化が二律背反の関係になっていた。即ち、図４を例にすると、大量処理を要件とするディスク転写法による工業的塗布方法では塗布工程の時間短縮のためにドラムディスク９とディスク４の回転速度の高速化が要請されるが、ディスク４を高速化すると液体塗布物槽２から掻き上げられる樹脂塗料６が減少して膜厚が薄くなる。また、ドラムディスク９の高速化により樹脂塗料６と被着体との接触時間が短くなり、所要量の樹脂塗料６を高速に被着体に転写することが出来なくなる。
【０００７】
本発明は上記事情に鑑みて、電子部品製造業における電子部品等の素子等を被着体として、これに液体塗布物としての樹脂の塗布をディスク転写法にて高速に行うことを念頭に創出されたものであるが、その塗布方法の適用対象は種々の分野の液体塗布物のディスク転写法による塗布にも適用できるものであり、ディスクの高速化を行いつつ必要十分な量の塗布を実現する大量処理に適応した種々の分野を踏まえた新規な塗布方法を提供するものである。
【０００８】
【課題を解決するための手段】
本発明は、上記目的を達成するために、
（１）回転するディスクの外周面近傍に備えたディスペンサーから前記ディスクの外周面に液体塗布物を滴下して外周面に付着させるステップと、接近する被着体に前記液体塗布物を転写するステップと、ディスクの外周面の液体塗布物の余剰分を受皿に回収するステップと、を備える液体塗布物の塗布方法において、画像認識装置にてディスク外周に付着した前記液体塗布物の膜厚をモニターするとともに該膜厚と設定膜厚とを比較した情報から転写する際のディスクの外周面の液体塗布物の付着量を可動なスキージで調整して膜厚管理するステップを備えることを特徴とする液体塗布物の塗布方法を提供することにより上記目的を達成する。
【０００９】
（２）また、回転するディスクの外周面を液体塗布物を入れた槽に浸漬して液体塗布物を付着させるステップと、前記ディスクの外周面に接近する被着体に前記液体塗布物を転写するステップと、ディスクの外周面の液体塗布物の余剰分を回収するステップと、前記ディスク近傍にディスペンサーを備えて前記ディスクの外周面に前記ディスペンサーから液体塗布物を滴下して外周面の液体塗布物の付着量を付加調整するステップと、を備える液体塗布物の塗布方法において、画像認識装置にてディスク外周に付着した前記液体塗布物の膜厚をモニターするとともに該膜厚と設定膜厚とを比較した情報から転写する際のディスクの外周面の液体塗布物の付着量を可動なスキージで調整して膜厚管理するステップを備えることを特徴とする液体塗布物の塗布方法を提供することにより、上記目的を達成する。
【００１０】
（３）特に、液体塗布物が樹脂塗料または磁性体含有樹脂塗料であり、被着体が電子部品素子である上記（１）または（２）に記載の液体塗布物の塗布方法を提供する。
【００１１】
なお、上記スキージ（squeegee）とはゴムほうきと訳されるもので、ディスクに付着させた液体塗布物の付着量（膜厚）を規制して余分を除去するのに用いるものである。また、上記ディスペンサーは例えば注射器のような液体塗布物の供給装置である。
【００１２】
【発明の実施の形態】
本発明に係る液体塗布物の塗布方法について、典型としてチップ状電子部品の外装材としての樹脂塗料の塗布方法について説明する。
【００１３】
図１は本発明の請求項１の実施の形態を説明する図である。図２は本発明の請求項２の実施の形態を説明する図である。なお、図１〜図２では前述の図４の場合と同様に液体塗布物が樹脂塗料（または磁性体含有樹脂塗料）であり、被着体が電子部品のインダクタ素子１５の場合を典型例として説明する。
【００１４】
図１において、本発明に係る液体塗布物の第１の塗布方法では、（ａ）回転するディスク４の外周面近傍に備えたディスペンサー１２から前記ディスク４の外周面に液体塗布物の樹脂塗料６を滴下して外周面に付着させるステップと、（ｂ）接近する被着体のインダクタ素子１５に前記樹脂塗料６を転写するステップと、（ｃ）ディスク４の外周面の樹脂塗料６の余剰分を受皿１１に回収するステップと、を備える液体塗布物の塗布方法において、（ｄ）画像認識装置にてディスク外周に付着した前記液体塗布物の膜厚をモニターするとともに該膜厚と設定膜厚とを比較した情報から転写する際のディスクの外周面の液体塗布物の付着量を可動なスキージで調整して膜厚管理するステップを備えることを特徴とする。また、回収された樹脂塗料６の余剰分は別途ディスペンサー１２に再供給されることが望ましい。
【００１５】
上記第１の塗布方法では、樹脂塗料６がディスク４の回転速度に係わり無くディスク４の外周面に上方から滴下供給され、さらにインダクタ素子１５に転写されるので、樹脂塗料６の膜厚をディスペンサー１２の噴出量の調整で任意に設定することが可能であることに加え、ディスク外周面に向き合う正面側及びそれに略直角な側面側に各々設置した画像認識装置１７ａ、１７ｂにてディスク外周に付着した液体塗布物である前記樹脂塗料６の膜厚（ディスク外周に対する厚み方向と幅方向の膜厚）をモニターするとともに該膜厚と予め適正値として設定した設定膜厚とを比較した情報から転写する際のディスク４の外周面の樹脂塗料６の付着量を可動なスキージ１６で調整して膜厚管理するステップを備えているため、リアルタイムに早い応答で膜厚が微調整できる。勿論、図１には図示されていないが、画像認識装置１７（赤外線、Ｘ線、可視光線等の画像認識装置一般を含む。）と可動なスキージ１６は連動しており、図示されないマイクロコンピュータ等を使用した制御装置にてフィードバック制御がなされる。
【００１６】
次に、図２において、本発明に係る液体塗布物の第２の塗布方法では、（ａ）回転するディスク４の外周面を液体塗布物の樹脂塗料６を入れた槽２に浸漬して樹脂塗料６を付着させるステップと、（ｂ）前記ディスク４の外周面に接近する被着体のインダクタ素子１５に前記樹脂塗料６を転写するステップと、（ｃ）ディスク４の外周面の前記樹脂塗料６の余剰分を槽２に回収するステップと、（ｄ）前記ディスク４近傍にディスペンサー１２を備えて前記ディスク４の外周面に前記ディスペンサー１２から樹脂塗料６を滴下して外周面の樹脂塗料６の付着量を付加調整するステップと、を備える液体塗布物の塗布方法において、（ｅ）画像認識装置にてディスク外周に付着した前記液体塗布物の膜厚をモニターするとともに該膜厚と設定膜厚とを比較した情報から転写する際のディスクの外周面の液体塗布物の付着量を可動なスキージで調整して膜厚管理するステップを備えることを特徴とする。
【００１７】
上記液体塗布物の第２の塗布方法では、従来と同様にディスク４の槽２への浸漬にて樹脂塗料６を外周面に付着させるのであるが、ディスク４の回転速度の高速化によって付着量の足りなくなる分をディスペンサー１２が補う形で樹脂塗料６の付着量の付加調整の役目を果たすものである。したがって、噴出量はディスペンサー１２のみで供給する前記第１の塗布方法よりも少なくて済むので調整が容易となり、ディスペンサー１２も小型にできる。
【００１８】
また、上記の付着量の調整に加え、ディスク外周面に向き合う正面側及びそれに略直角な側面側に各々設置した画像認識装置１７ａ、１７ｂにてディスク外周に付着した液体塗布物である前記樹脂塗料６の膜厚（ディスク外周に対する厚み方向と幅方向の膜厚）をモニターするとともに該膜厚と予め適正値として設定した設定膜厚とを比較した情報から転写する際のディスク４の外周面の樹脂塗料６の付着量を可動なスキージ１６で調整して膜厚管理するステップを備えているため、リアルタイムに早い応答で膜厚が微調整できる。尚、図１同様、画像認識装置１７（赤外線、Ｘ線、可視光線等の画像認識装置一般を含む。）と可動なスキージ１６は連動しており、図示されないマイクロコンピュータ等を使用した制御装置にてフィードバック制御がなされる。
【００１９】
以上、説明したように本発明の液体塗布物の塗布方法は、上記実施の形態の例の如く液体塗布物が樹脂塗料６または磁性体含有樹脂塗料であり、被着体がインダクタ素子１５等の電子部品である場合にはその大量塗布処理に威力を発揮する。
【００２０】
念のために付言すれば、本発明の液体塗布物の塗布方法は、上記のような電子部品に対する樹脂塗料の塗布以外にも、従来技術で例示した工事用道路ライン引き、ベルト・紙の張り合わせ部の糊付け、基板上の部品封止、建築物外壁のペイント塗り・内装の壁紙貼り、パン等の食品へのバター、クリーム、蜂蜜塗り、といった広い分野においても適用できる。
【００２１】
【発明の効果】
本発明に係る液体塗布物の塗布方法は、上記のように構成されているため以下のような効果を有する。
【００２２】
（１）液体塗布物を被着体に均一に無駄なく高速に塗ることができる。
【００２３】
（２）膜厚が任意に素早く変更可能である。
【００２４】
（３）幅広い被着体にもディスクの幅を変えることで簡単に対応可能である。
【００２５】
（４）工事用道路ライン引き、ベルト・紙の張り合わせ部の糊付け、基板上の部品封止、建築物外壁のペイント塗り・内装の壁紙貼り、パン等の食品へのバター、クリーム、蜂蜜塗り、といった広い分野で樹脂、糊、接着剤、食品等の液体塗布物を均一に塗る場合に適用できる。
【図面の簡単な説明】
【図１】本発明の請求項１の実施の形態を説明する図である。
【図２】本発明の請求項２の実施の形態を説明する図である。
【図３】ディスク転写法の一種である従来の所謂ローラーコーター塗りを説明する概要図である。
【図４】従来のディスク転写方式の例を説明する概要図である。
【符号の説明】
１    被着体
２    液体塗布物槽
３ａ，３ｂ，３ｃ，３ｄ    ディスク
４    ディスク
５    液体塗布物
６    樹脂塗料
８    製品チャック
９    ドラムディスク
１０    ディスク転写方式の塗布装置
１１    受皿
１２    ディスペンサー
１５、１５′、１５ａ    インダクタ素子
１６    可動なスキージ
１７ａ、１７ｂ  画像認識装置
【図１】
0003923250.tif 000002
【図２】
0003923250.tif 000003
【図３】
0003923250.tif 000004
【図４】
0003923250.tif 000005